(57)【要約】【課題】回転デトネーションエンジンの小型化を図ること。【解決手段】回転デトネーションエンジンは、回転デトネーション燃焼器１０と、デトネーション開始装置２０と、燃料供給装置３０と、遠心圧縮機４０と、ステータ５０と、タービン６０と、筐体７０によって構成されている。回転デトネーション燃焼器１０の内部空間１１は、筐体７０の内部空間をタービン６０で区画した一部の空間であり、円盤状である。内部空間１１は、回転デトネーション波を発生させるための空間である。筐体７０の内部空間には、主板６２が設けられ、吸気口７１側の主面６２ａには、遠心圧縮機ベーン４１が設けられている。また、主板６２の排気口７２側の主面６２ｂには、ラジアルタービンベーン６４が設けられている。【選択図】図３
2017146062.tif 000002
【特許請求の範囲】
【請求項１】
円盤状の内部空間を有し、前記内部空間の外周に沿って回転しながら伝搬する回転デトネーション波を発生させ、燃焼ガスを前記内部空間の半径方向であって中心軸側へと放出する回転デトネーション燃焼器と、
前記内部空間に回転デトネーション波を発生させるためのデトネーション波を供給するデトネーション開始装置と、
前記回転デトネーション燃焼器の前記内部空間に、燃料ガスを供給する燃料供給装置と、
前記回転デトネーション燃焼器の前記内部空間に、酸化剤を圧縮して供給する圧縮機と、
前記内部空間の前記中心軸側に配置され、前記回転デトネーション燃焼器からの燃焼ガスによって、前記中心軸の回りに回転するタービンと、
を有することを特徴とする回転デトネーションエンジン。
【請求項２】
前記圧縮機は、円盤状の主板の一方の主面に遠心圧縮機ベーンを設けた遠心圧縮機であり、
前記タービンは、前記主板の他方の主面にラジアルタービンベーンを設けたラジアルタービンである、
ことを特徴とする請求項１に記載の回転デトネーションエンジン。
【請求項３】
前記ラジアルタービンベーンの外側に、前記内部空間の前記中心軸と同軸の円環状に配置され、前記回転デトネーション燃焼器から放出される燃焼ガスの方向を、前記半径方向に角度を成す方向へと変換するガス流方向変換部をさらに有する、ことを特徴とする請求項２に記載の回転デトネーションエンジン。
【請求項４】
前記燃料供給装置による前記内部空間への燃料ガスの供給方向と、前記圧縮機による前記内部空間への酸化剤の供給方向は、直交している、ことを特徴とする請求項１ないし請求項３のいずれか１項に記載の回転デトネーションエンジン。
【請求項５】
前記燃料供給装置は、前記内部空間の外周側面であって円周方向に沿って配列された複数の位置から、半径方向に燃料ガスを供給する、ことを特徴とする請求項１ないし請求項４に記載の回転デトネーションエンジン。
【請求項６】
前記圧縮機は、前記内部空間の外周側面に沿って前記中心軸に平行な方向に酸化剤を供給する、ことを特徴とする請求項１ないし請求項５に記載の回転デトネーションエンジン。
【請求項７】
前記内部空間の厚さは、前記内部空間１１の直径の１／４以下であることを特徴とする請求項１ないし請求項６のいずれか１項に記載の回転デトネーションエンジン。
【請求項８】
前記内部空間の厚さは、前記内部空間１１の直径の１/ ３０以上であることを特徴とする請求項１ないし請求項７のいずれか１項に記載の回転デトネーションエンジン。
【請求項９】
前記内部空間の直径は、１ｃｍ以上３０ｃｍ以下である、ことを特徴とする請求項１ないし請求項８のいずれか１項に記載の回転デトネーションエンジン。
【発明の詳細な説明】
【技術分野】
【０００１】
本発明は、回転デトネーション波を発生させ、燃焼ガスによってタービンを回転させる回転デトネーションエンジンに関する。
【背景技術】
【０００２】
デフラグレーションを利用した一般的なタービンエンジンよりも高い理論熱効率を有することから、デトネーションを利用したデトネーションエンジンが注目され、さかんに研究されている。デトネーションとは、衝撃波と燃焼波が相互に干渉しつつ一体となって超音速で伝搬する燃焼モードである。
【０００３】
デトネーション波を発生させる燃焼器として、パルスデトネーション燃焼器と、回転デトネーション燃焼器が研究されている。
【０００４】
パルスデトネーション燃焼器は、直管状の燃焼器の軸方向に間欠的にデトネーション波を発生させるものである。特許文献１には、パルスデトネーション燃焼器を用いたパルスデトネーションエンジンが記載されている。このパルスデトネーションエンジンは、軸方向に圧縮機、パルスデトネーション燃焼器、タービンの順に接続された構成であり、軸方向への燃焼ガスのガス流によってタービンを回す構成である。
【０００５】
回転デトネーション燃焼器は、円環状の領域をその円環の周方向に沿って回転するデトネーション波を発生させるものである。回転デトネーション燃焼器は、１回点火すれば、その後は燃料が供給され続ける限り連続して回転デトネーション波を発生させることができる。特許文献２に示すように、従来の回転デトネーション燃焼器は、二重円筒型の構造であり、円筒の中心軸に平行な方向に燃焼ガスを排出して動力、推力を得る構造となっている。
【先行技術文献】
【特許文献】
【０００６】
【特許文献１】特開２０１２−１５９０７８号公報
【特許文献２】特開２０１５−１５８３５６号公報
【発明の概要】
【発明が解決しようとする課題】
【０００７】
しかし、従来の回転デトネーションエンジンは、回転デトネーション燃焼器の占める体積が大きく、装置全体として大型となってしまう問題があった。
【０００８】
そこで本発明の目的は、回転デトネーションエンジンの小型化を図ることである。
【課題を解決するための手段】
【０００９】
本発明は、円盤状の内部空間を有し、内部空間の外周に沿って回転しながら伝搬する回転デトネーション波を発生させ、燃焼ガスを内部空間の半径方向であって中心軸側へと放出する回転デトネーション燃焼器と、内部空間に回転デトネーション波を発生させるためのデトネーション波を供給するデトネーション開始装置と、回転デトネーション燃焼器の内部空間に、燃料ガスを供給する燃料供給装置と、回転デトネーション燃焼器の内部空間に、酸化剤を圧縮して供給する圧縮機と、内部空間の中心軸側に配置され、回転デトネーション燃焼器からの燃焼ガスによって中心軸の回りに回転するタービンと、を有することを特徴とする回転デトネーションエンジンである。
【００１０】
圧縮機として遠心圧縮機を用いてもよい。遠心圧縮機は、タービンと表裏一体に構成するとよい。具体的には、遠心圧縮機として、円盤状の主板の一方の主面に遠心圧縮機ベーンを設けた構成とし、タービンとして、主板の他方の主面にラジアルタービンベーンを設けた構成とする。このように遠心圧縮機とタービンとを表裏一体に構成することで、タービンの熱を遠心圧縮機の遠心圧縮機ベーンに逃がし、その遠心圧縮機ベーンの熱を遠心圧縮機が取り込む酸化剤によって冷却することができる。そのため、効率的にタービンを冷却することができる。
【００１１】
ラジアルタービンベーンの外側に、内部空間の中心軸と同軸の円環状に配置され、回転デトネーション燃焼器から放出される燃焼ガスの方向を、半径方向に角度を成す方向へと変換するガス流方向変換部をさらに設けてもよい。より効率的にタービンを回転させることができる。
【００１２】
燃料供給装置による内部空間への燃料ガスの供給方向と、圧縮機による内部空間への酸化剤の供給方向は、直交するように構成することが望ましい。回転デトネーション波を効率的、安定的に発生させることができる。燃料供給装置は、内部空間の外周側面であって円周方向に沿って配列された複数の位置から、半径方向に燃料ガスを供給するように構成するとよい。また、圧縮機は、内部空間の外周側面に沿って中心軸に平行な方向に酸化剤を供給するように構成するとよい。
【００１３】
円盤状の内部空間の厚さ（中心軸に平行な方向の幅）は、内部空間の直径の１／４以下であることが望ましい。これよりも厚いと、回転デトネーション波の伝搬方向として中心軸に平行な方向の成分が生じるため、タービンを効率的に回転させるのが難しくなる。また、回転デトネーション燃焼器の小型化の点からも、これより厚いのは望ましくない。より望ましくは内部空間の直径の１／５以下、さらに望ましくは内部空間の直径の１／１０以下である。
【００１４】
円盤状の内部空間の厚さは、内部空間の直径の１／３０以上とすることが望ましい。これよりも薄いと、内部空間の体積を十分に確保できず、エンジンの出力を十分とすることができないためである。より望ましくは内部空間の直径の１／２０以上、さらに望ましくは内部空間の直径の１／１５以上である。
【００１５】
内部空間の直径は、１ｃｍ以上３０ｃｍ以下とすることができ、非常に小型の回転デトネーションエンジンを実現することができる。
【発明の効果】
【００１６】
本発明の回転デトネーションエンジンによれば、タービンが回転デトネーション燃焼器の中心軸側に配置されているため、回転デトネーション燃焼器とタービンをおよそ同一面内とすることができ、軸方向の長さを短くすることができる。そのため、回転デトネーションエンジン全体の小型化を図ることができる。
【図面の簡単な説明】
【００１７】
【図１】実施例１の回転デトネーションエンジンを俯瞰した図。
【図２】実施例１の回転デトネーションエンジンの中心軸に垂直な面での断面図。
【図３】実施例１の回転デトネーションエンジンの中心軸を含む面での断面図。
【図４】回転デトネーション燃焼器の構成を模式的に示した図。
【発明を実施するための形態】
【００１８】
以下、本発明の具体的な実施例について図を参照に説明するが、本発明は実施例に限定されるものではない。
【実施例１】
【００１９】
図１は、実施例１の回転デトネーションエンジンをガス排出側斜め上方から俯瞰した図である。図２は、実施例１の回転デトネーションエンジンの中心軸に垂直な断面をガス排出側から見た図である。また、図３は、実施例１の回転デトネーションエンジンの中心軸を含む平面での断面を模式的な示した図である。図１〜３のように、実施例１の回転デトネーションエンジンは、回転デトネーション燃焼器１０と、デトネーション開始装置２０と、燃料供給装置３０と、遠心圧縮機４０と、ステータ５０と、タービン６０と、筐体７０によって構成されている。なお、図２の断面は、回転デトネーション燃焼器１０を通る位置での断面である。
【００２０】
［筐体７０の構成］
筐体７０は、図１〜３に示すように、外観は円盤状であり、内部にも円盤状の内部空間を有している。その中心軸の一方に酸化剤を内部空間に取り込む吸気口７１を有し、他方に燃焼ガスを排気する排気口７２を有している。排気口７２はベル型のノズルである。酸化剤は、たとえば、酸素、ないし酸素を含むガス（具体的には空気など）である。筐体７０の内部空間には、回転デトネーション燃焼器１０、遠心圧縮機４０、ステータ５０、タービン６０が設けられている。
【００２１】
［回転デトネーション燃焼器１０の構成］
回転デトネーション燃焼器１０は、回転デトネーション波を発生させるための装置である。回転デトネーション燃焼器１０は、図２、３に示すように、円盤状の内部空間１１を有している。図４は、実施例１の回転デトネーションエンジンのうち、回転デトネーション燃焼器１０の部分を拡大して模式的に示した断面図である。この内部空間１１は、２つの平行な円盤状の平面１１ａ、ｂと、円筒状の外周側面１１ｃと、によって囲われた空間である。円盤状の平面１１ａ、ｂのうち、一方の平面１１ｂは、タービン６０によって区画されている。また、外周側面１１ｃと平面１１ａは、筐体７０によって区画されている。すなわち、回転デトネーション燃焼器１０の内部空間１１は、筐体７０の内部空間をタービン６０で区画した一部の空間である。内部空間１１は、回転デトネーション波を発生させるための空間であり、内部空間１１の外周側面１１ｃ近傍に、その周方向に沿って回転デトネーション波を発生させるための空間である。
【００２２】
円盤状の内部空間１１の厚さＤ（内部空間１１の中心軸方向の幅、平面１１ａ、ｂの間隔）は、内部空間１１の直径の１／４以下とするのがよい。これよりも厚いと、回転デトネーション波の伝搬方向として中心軸に平行な方向の成分が生じるため、タービン６０を効率的に回転させるのが難しくなる。また、回転デトネーション燃焼器１０の小型化の点からも、これより厚いのは望ましくない。より望ましくは内部空間１１の直径の１／５以下、さらに望ましくは内部空間１１の直径の１／１０以下である。ただし、円盤状の内部空間１１の厚さＤを薄くしすぎると、内部空間１１の体積を十分に確保できず、エンジンの出力を十分とすることができないため、内部空間１１の厚さＤは内部空間１１の直径の１／３０以上とするのがよい。より望ましくは内部空間１１の直径の１／２０以上、さらに望ましくは内部空間１１の直径の１／１５以上である。
【００２３】
円盤状の内部空間１１の直径は、必要とするエンジン出力の値などに応じて任意に設定することができる。たとえば、回転デトネーションエンジンの小型化の観点から、１ｃｍ以上３０ｃｍ以下とすることができる。
【００２４】
［デトネーション開始装置２０の構成］
デトネーション開始装置２０は、回転デトネーション燃焼器１０において回転デトネーション波を発生させるためのトリガーとなるデトネーション波を発生させる装置である。デトネーション開始装置２０は、供給管２１と、点火プラグ２２と、デトネーション波導入口２３で構成されている。
【００２５】
供給管２１は、デトネーション波を発生させるための燃料ガスおよび酸化剤を供給する管である。燃料ガスと酸化剤の混合ガスを供給するようにしてもよいし、別々の管で燃料ガスと酸化剤をそれぞれ供給し、途中で管を接続して燃料ガスと酸化剤を混合する構成としてもよい。
【００２６】
点火プラグ２２は、供給管２１内に火花を発生させるものである。この火花によって燃料ガスと酸化剤の混合ガスに点火し、回転デトネーション波を発生させる。
【００２７】
デトネーション波導入口２３は、回転デトネーション燃焼器１０の内部空間１１の平面１１ａであって、外周側面１１ｃ近傍側の位置において、筐体７０を貫通する孔である。デトネーション波導入口２３の端部のうち、筐体７０外部側は、供給管２１と接続されている。
【００２８】
このデトネーション開始装置２０では、供給管２１によって供給される酸化剤と燃料の混合ガスに、点火プラグ２２を用いて点火することでデトネーション波を発生させる。そして、そのデトネーション波を、供給管２１、デトネーション波導入口２３を介して回転デトネーション燃焼器１０の内部空間１１に導入する。
【００２９】
デトネーション波の導入位置（デトネーション波導入口２３の内部空間１１への開口位置）は上記に限るものではなく、内部空間１１にデトネーション波を供給可能な任意の位置としてよい。
【００３０】
［燃料供給装置３０の構成］
燃料供給装置３０は、回転デトネーション燃焼器１０において回転デトネーション波を連続的に発生させるための燃料ガスを供給する装置である。燃料供給装置３０は、４本の燃料ガス供給管３１、燃料マニホールド３２、複数の燃料ガス供給口３３で構成されている。
【００３１】
燃料ガス供給管３１は、回転デトネーション燃焼器１０の内部空間１１に燃料ガスを供給するための管であり、筐体７０の外部で接続している。燃料ガスは、たとえば、水素やメタン、エタン、エチレンなどの炭化水素、あるいはそれらを含むガスである。
【００３２】
燃料マニホールド３２は、図３、４に示すように、内部空間１１の外周側面１１ｃ近傍の筐体７０中に設けられたリング状の空間である。筐体７０に設けられた図示しない孔を介して、燃料ガス供給管３１と燃料マニホールド３２は接続されている。
【００３３】
燃料ガス供給口３３は、燃料マニホールド３２と回転デトネーション燃焼器１０の内部空間１１とを接続する貫通孔であり、その貫通方向は中心軸に垂直な方向（半径方向）である。貫通方向は燃料ガスの供給方向とおよそ一致する。図２のように、複数の燃料ガス供給口３３は、内部空間１１の外周側面１１ｃに、円周方向に等間隔で配列されている。これにより、回転デトネーション波を効率的、安定的に発生させることができる。燃料ガス供給口３３の配列間隔は、中心角（隣接する２つの燃料ガス供給口３３と内部空間１１の中心とを結ぶ半径の成す角度）が１°以上５°以下となるようにするのが望ましい。作製の容易さと回転デトネーション波の効率的、安定的な生成とのバランスの観点からである。
【００３４】
この燃料供給装置３０では、４本の燃料ガス供給管３１から供給される燃料ガスが燃料マニホールド３２を介して複数の燃料ガス供給口３３に分配され、その複数の燃料ガス供給口３３から回転デトネーション燃焼器１０の内部空間１１へと連続的に燃料ガスが供給される。内部空間１１への燃料ガスの供給方向は、中心軸に垂直な方向（半径方向）である。
【００３５】
なお、実施例１の燃料供給装置３０では、燃料ガス供給口３３から連続的に内部空間１１へ燃料ガスを供給するものであるが、燃料ガス供給口３３に開閉弁を設け、デトネーション波の伝搬に合わせて間欠的に燃料ガスを供給するようにしてもよい。また、燃料ガス供給口３３の位置は、上記に限るものではなく、たとえば内部空間１１の平面１１ａであって、外周側面１１ｃ近傍としてもよい。また、燃料ガス供給口３３の貫通方向も半径方向でなくともよい。
【００３６】
［遠心圧縮機４０およびタービン６０の構成］
遠心圧縮機４０は、回転デトネーション燃焼器１０に圧縮された酸化剤を供給するための装置である。また、タービン６０は、ラジアルタービンであり、ガス流のエネルギーを機械的な回転エネルギーに変換して取り出すための装置である。遠心圧縮機４０とタービン６０は、表裏一体に構成されている。その構成を以下により詳しく説明する。
【００３７】
図２に示すように、筐体７０の内部空間にローター６１を有している。ローター６１は、円盤状の主板６２と、その主板６２に接続し、主板６２と中心軸を同一とする軸状のローター軸６３を有している。ローター６１は、その中心軸が筐体７０の円盤状の内部空間の中心軸と一致するよう配置されている。内部空間の主面（中心軸に垂直な面）と、ローター６１の主板６２の主面は平行であり、主板６２と筐体７０は間隔が空けられており、接していない。また、ローター６１は、中心軸回りに回転可能に設けられている。
【００３８】
この主板６２によって筐体７０の内部空間は吸気口７１側と排気口７２側に２分されており、排気口７２側の内部空間が回転デトネーション燃焼器１０の内部空間１１となっている。主板６２の半径は、筐体７０の内部空間の半径よりも一回り小さく設定されており、主板６２の円周と筐体７０との間に隙間が生じている。このリング状の隙間は、回転デトネーション燃焼器１０の内部空間１１への酸化剤の供給口６５となっている。
【００３９】
主板６２の吸気口７１側の主面６２ａには、遠心圧縮機ベーン４１が設けられている。遠心圧縮機ベーン４１は、吸気口７１から中心軸に平行な方向に流入する酸化剤の流れを、主板６２の主面６２ａに平行な方向に変えつつ、酸化剤に遠心力を加えることが可能な形状に構成されている。
【００４０】
遠心圧縮機ベーン４１の直径は、主板６２の直径よりも小さく設定されている。そのため、主板６２の主面６２ａのうち、外周近傍の領域には、遠心圧縮機ベーン４１が存在していない。この遠心圧縮機ベーン４１が設けられていない領域（主板６２の主面６２ａと筐体７０との隙間）は、酸化剤を減速させて静圧を向上させるディフューザ４２として機能する。このディフューザ４２は、酸化剤の供給口６５と連続しており、ディフューザ４２において主板６２の主面６２ａに平行に流れる酸化剤は、供給口６５で中心軸に平行な方向に変換され、内部空間１１の外周側面１１ｃに沿って内部空間１１へ供給される。
【００４１】
なお、遠心圧縮機ベーン４１の直径は、主板６２の直径よりも小さい範囲において、酸化剤の圧縮率などに応じて任意の値に設定することができる。ただし、ディフューザ４２として作用する領域の確保と圧縮率向上とのバランスをとるために、遠心圧縮機ベーン４１の直径は、主板６２の直径の０．５０倍以上０．９５倍以下とすることが望ましい。より望ましくは０．６０倍以上０．９３倍以下、さらに望ましくは０．７０倍以上０．９０倍以下である。
【００４２】
この主板６２、遠心圧縮機ベーン４１、ディフューザ４２によって、吸気口７１からの酸化剤を圧縮する遠心圧縮機４０が構成されている。すなわち、ローター６１の吸気口７１側が遠心圧縮機４０として機能するように構成されている。
【００４３】
ディフューザ４２、あるいは酸化剤の供給口６５に、部分的に開閉可能な弁を設け、回転デトネーション燃焼器１０での回転デトネーション波の伝搬に合わせて、弁を開閉することにより、回転デトネーション燃焼器１０において発生した燃焼ガスが遠心圧縮機４０に逆流しないようにしてもよい。具体的には、回転デトネーション波が通過する直前に、その領域の供給口６５の一部を弁によって閉じ、回転デトネーション波が通過したら、その領域の供給口６５の一部を弁によって開放することで、燃焼ガスが遠心圧縮機４０側に逆流しないように制御することができる。
【００４４】
また、主板６２の排気口７２側の主面６２ｂには、ラジアルタービンベーン６４が設けられている。ラジアルタービンベーン６４は、回転デトネーション燃焼器１０から主板６２の主面６２ｂに平行な方向に流入する燃焼ガスの流れを、中心軸に平行な方向に変えつつ、ローター６１に円周方向の力を加えて中心軸回りに回転させることが可能な形状に構成されている。
【００４５】
ラジアルタービンベーン６４の直径は、回転デトネーション燃焼器１０およびステータ５０のスペースを十分に確保する点から、主板６２の直径の０．８倍以下とすることが望ましい。また、動作開始時間の短縮のためには、主板６２の直径の０．６倍以下とすることが望ましい。より望ましくは０．５倍以下である。ただし、十分な出力を確保するために、ラジアルタービンベーン６４の直径は主板６２の直径の０．２倍以上とすることが望ましく、さらに望ましくは０．３倍以上である。
【００４６】
この主板６２、ラジアルタービンベーン６４によって、タービン６０が構成されている。すなわち、ローター６１の排気口７２側がタービン６０として機能するように構成されている。
【００４７】
このように、実施例１の回転デトネーションエンジンでは、遠心圧縮機４０とタービン６０が表裏一体に構成されている。これにより、中心軸方向において遠心圧縮機４０とタービン６０が占める長さが短くなり、回転デトネーションエンジンを小型とすることができる。また、タービン６０に発生する熱を遠心圧縮機４０側へと効率的に伝導させることができ、遠心圧縮機４０の遠心圧縮機ベーン４１に当たる酸化剤へと熱を逃がすことができる。これにより、タービン６０を効率的に冷却することができる。
【００４８】
なお、実施例１の回転デトネーションエンジンでは、圧縮機として遠心圧縮機４０の１段構成としているが、遠心圧縮機４０の前段にさらに圧縮機を設けて多段構成としてもよい。また、タービン６０の後段にさらにタービンを設けて多段構成としてもよい。
【００４９】
また、実施例１では、燃料ガスが中心軸に垂直な方向に供給され、酸化剤が中心軸に平行な方向に供給されるように構成しており、燃焼ガスの供給方向と酸化剤の供給方向が直交するように構成しているが、必ずしも直交させる必要はない。たとえば、燃料ガスと酸化剤を平行に供給してもよい。ただし、効率的、安定的に回転デトネーション波を発生させるために、燃料ガスの供給方向と酸化剤の供給方向は実施例１のように直交させることが望ましい。
【００５０】
［ステータ５０の構成］
ステータ５０は、回転デトネーション燃焼器１０からのガス流の方向を、タービン６０を回転させるのに適した方向に変換する装置である。
【００５１】
ステータ５０は、図２、図３に示すように、回転デトネーション燃焼器１０とタービン６０のラジアルタービンベーン６４との間にリング状に設けられた羽根状体であり、筐体７０に固定されている。ステータ５０を構成する各羽根は、くの字型に曲がった形状をしており、回転デトネーション燃焼器１０側は半径方向に伸びる壁状に形成され、ラジアルタービンベーン６４側は半径方向に対しておよそ４５°を成して伸びる壁状に形成されている。
【００５２】
このステータ５０によって、デトネーション燃焼器１０から排出されるガスの方向を、タービン６０を回すのに適した方向へと変換している。つまり、中心軸に垂直であってその中心方向（半径方向）に向かうガス流の方向を、半径方向に角度を成す方向に変換している。
【００５３】
ステータ５０から内部空間１１の外周側面１１ｃまでの距離Ｌは、内部空間１１の直径の０．５０倍以上０．９５倍以下とすることが望ましい。内部空間１１を十分に確保し、効率的に回転デトネーション波を発生させるためである。より望ましくは、内部空間１１の直径の０．６０倍以上０．９３倍以下、さらに望ましくは０．７０倍以上０．９０倍以下である。
【００５４】
なお、ステータ５０は必ずしも必要ではないが、タービン６０を効率的に回転させるために設けることが望ましい。また、ステータ５０の各羽根の形状も、ガス流の方向を変換できる形状であれば上記の形状に限るものではない。
【００５５】
ステータ５０によって変換されるガス流の方向は、半径方向（中心軸に向かう方向）に対して角度を成すのであれば任意の角度でよいが、効率的にタービン６０を回すためには、半径方向に対してなるべく角度を有するようにする（つまり、周方向に近いようにする）ことが望ましく、半径方向に対して１５°以上の角度とすることが望ましい。より望ましくは２５°以上、さらに望ましくは３０°以上である。ただし、ガス流方向があまりに周方向に近いと、かえってタービンを回す効率が悪化するので、半径方向に対して８０°以下とすることが望ましく、より望ましくは７５°以下である。
【００５６】
［回転デトネーションエンジンの動作］
次に、実施例１の回転デトネーションエンジンの動作について説明する。
【００５７】
まず、回転デトネーション燃焼器１０の内部空間に、燃料供給装置３０によって燃料ガスを供給する。また、酸化剤の供給口６５からは酸化剤が内部空間１１へと流入する。そして、デトネーション開始装置２０によって燃料ガスと酸化剤の混合ガスに点火し、デトネーション波を発生させる。そのデトネーション波を回転デトネーション燃焼器１０の内部空間に導入する。すると、回転デトネーション燃焼器１０の内部空間１１に、円周方向に沿って伝搬する回転デトネーション波が発生する。一度発生した回転デトネーション波は、燃料ガスと酸化剤の供給を停止しない限り消滅することはなく、永続的に内部空間１１を周回する。
【００５８】
回転デトネーション波は、時計回り、半時計回りのいずれの方向に発生させるものであってもよく、時計回りと半時計回りの両方を発生させてもよい。また、単数の回転デトネーション波を発生させてもよいし、複数個の回転デトネーション波を同時に発生させてもよい。なお、回転デトネーション波はおおよそ円周方向に沿って伝搬するが、伝搬方向は完全に円周方向（半径方向に垂直な方向）と等しいわけではなく、円周方向に対して角度を成した方向に傾斜して伝搬する。
【００５９】
回転デトネーション波が発生すると、回転デトネーション燃焼器１０から燃焼ガスが中心軸に垂直な方向（半径方向）であって中心方向に排出される。排出された燃焼ガスは、ステータ５０によって半径方向に角度を成す方向に変換される。これにより、タービン６０を効率的に回転させることが可能な方向にガス流方向を変換している。
【００６０】
ステータ５０からの燃焼ガスは、タービン６０のラジアルタービンベーン６４によって中心軸に平行な方向に方向が変えられて排気口７２から排出されるとともに、ローター６１に回転方向の力を加え、ローター６１を回転させる。このローター６１の回転エネルギーの一部は、動力や推力として外部に取り出される。
【００６１】
ローター６１が回転すると、その裏面の遠心圧縮機４０の遠心圧縮機ベーン４１も回転する。遠心圧縮機ベーン４１の回転により、筐体７０の吸気口７１から取り込まれた酸化剤は圧縮され、酸化剤の供給口６５から回転デトネーション燃焼器１０の内部空間１１へ供給される。このように、回転デトネーション燃焼器１０の動作開始によって遠心圧縮機４０も自発的に動作を開始させることができる。そして、遠心圧縮機４０の動作によって、より高圧の燃焼ガスを発生させることができ、出力の向上を図ることができる。
【００６２】
また、タービン６０に発生した熱は、主板６２を介して遠心圧縮機ベーン４１へと伝導する。そして、遠心圧縮機ベーン４１に当たる酸化剤へと熱が伝導して遠心圧縮機ベーン４１は冷却される。このようにして、タービン６０を効率的に冷却することができる。
【００６３】
以上、実施例１の回転デトネーションエンジンでは、回転デトネーション燃焼器１０として内部空間１１が円盤状のものを用い、その内部空間１１よりも中心軸側にタービン６０を配置された構成としているため、回転デトネーションエンジンの軸方向の長さが非常に短くなっている。また、タービン６０と遠心圧縮機４０の羽根車を表裏一体に構成することで、自発的な遠心圧縮機４０の動作を確保しつつ、回転デトネーションエンジンの軸方向の長さがさらに短くなっている。そのため、実施例１の回転デトネーションエンジンは、全体として非常に小型となっている。
【００６４】
また、タービン６０が回転デトネーション燃焼器１０よりも中心軸側に配置されるため、タービン６０の慣性モーメントを小さく取ることができるので、回転デトネーションエンジンの起動時間を短縮することができる。
【００６５】
［変形例］
実施例１では、圧縮機として遠心圧縮機を用いているが、軸流圧縮機などを用いることも可能である。ただし、この場合、実施例１のようにタービンと表裏一体に構成できない。そのため、回転デトネーションエンジンのさらなる小型化、およびタービンの冷却の観点から、実施例１のように遠心圧縮機を用いることが好ましい。
【産業上の利用可能性】
【００６６】
本発明の回転デトネーションエンジンは、発電用、航空機用のガスタービンエンジンなどに利用することができる。
【符号の説明】
【００６７】
１０：回転デトネーション燃焼器
１１：内部空間
２０：デトネーション開始装置
３０：燃料供給装置
３３：燃料ガス供給口
４０：遠心圧縮機
４１：遠心圧縮機ベーン
４２：ディフューザ
５０：ステータ
６０：タービン
６１：ローター
６２：主板
６４：ラジアルタービンベーン
７０：筐体
７１：吸気口
７２：排気口
【図１】
2017146062.tif 000003
【図２】
2017146062.tif 000004
【図３】
2017146062.tif 000005
【図４】
2017146062.tif 000006